(57)【要約】      （修正有）【課題】ファン組立体が誤った位置に設置されることを防止することができ、ファン組立体によって部品室の冷却及び調理室内の空気の排出を同時にすることができる電子レンジを提供する。【解決手段】本体ケーシング１０に装着され前記部品室１３を冷却するように部品室貫通部２１に空気を送風する送風ファン、調理室貫通部２３を通じて調理室１５内の空気を排出部３１に送風する排気ファン、並びに前記送風ファン及び排気ファンの間に設けられ前記送風ファン及び排気ファンを駆動するファンモータを有するファン組立体５０と、前記ファン組立体５０の送風ファン又は排気ファンのうちの少なくとも一つが前記部品室貫通部２１又は前記排出部３１に対応する正しい位置に配置されていない時に前記ファン組立体５０と干渉するように前記本体ケーシング１０に設けられた干渉部４１を設ける。【選択図】図１
2006046901.tif 000002
【特許請求の範囲】
【請求項１】
電子レンジにおいて、
部品室及び調理室を形成し、前記部品室と貫通した部品室貫通部、前記調理室と貫通した調理室貫通部、並びに前記調理室貫通部を通じて前記調理室内の空気を排出するように設けられた排出部を有する本体ケーシングと、
前記本体ケーシングに装着されて前記部品室を冷却するように前記部品室貫通部に空気を送風する送風ファン、前記調理室貫通部を通じて前記調理室内の空気を前記排出部に送風する排気ファン、並びに前記送風ファン及び前記排気ファンの間に設けられて前記送風ファン及び前記排気ファンを駆動するファンモータを有するファン組立体と、
前記送風ファン又は前記排気ファンのうちの少なくとも一つが前記部品室貫通部又は前記排出部に対応する正しい位置に配置されていない時に前記ファン組立体と干渉するように前記本体ケーシングに設けられた干渉部と、
を含むことを特徴とする電子レンジ。
【請求項２】
前記干渉部は、前記ファン組立体に近接した前記本体ケーシングから突出して形成されたことを特徴とする請求項１に記載の電子レンジ。
【請求項３】
前記干渉部の端部には前記ファン組立体の装着方向に対して垂直方向に突出したノッチング部が設けられていることを特徴とする請求項２に記載の電子レンジ。
【請求項４】
前記送風ファンは、前記ファンモータによって回転する送風ブレードと、前記送風ブレードの外側に設けられて前記送風ブレードによって送風された空気が前記部品室貫通部に向かうように設けられた送風部を有する送風ファンカバーとを含み、
前記送風ファンカバーは、前記送風部が前記部品室貫通部に対して正しい位置に配置されていない時に前記干渉部と干渉することを特徴とする請求項１に記載の電子レンジ。
【請求項５】
前記排気ファンは、前記ファンモータによって回転する排気ブレードと、前記排気ブレードの外側に設けられて前記調理室貫通部から排出された空気が前記排出部に向かうように設けられた排気部を有する排気ファンカバーとを含むことを特徴とする請求項１に記載の電子レンジ。
【請求項６】
前記排出部は前記本体ケーシングに複数個設けられ、
前記排気ファンカバーは前記排気部が前記複数の排出部のうちのいずれか一つに対向するように前記ファンモータに対して着脱可能及び回転可能に結合されたことを特徴とする請求項５に記載の電子レンジ。
【請求項７】
前記部品室貫通部及び前記調理室貫通部は各々前記部品室及び前記調理室の上側に設けられ、
前記調理室貫通部から排出された空気が前記調理室貫通部に送風されることを防止するように、前記部品室貫通部及び前記調理室貫通部の間に設けられた隔壁をさらに含むことを特徴とする請求項１に記載の電子レンジ。
【請求項８】
前記部品室に送風された空気が前記調理室に供給されるように前記調理室と前記部品室の間の前記本体ケーシングには貫通孔が設けられていることを特徴とする請求項１に記載の電子レンジ。
【発明の詳細な説明】
【技術分野】
【０００１】
本発明は電子レンジに係わり、より詳しくは、ファン組立体の装着構造を改善した電子レンジに関する。
【背景技術】
【０００２】
一般に、電子レンジは飲食物を調理する調理室及び調理室に電磁波を照射することができるように各種部品が配置されている部品室を形成する本体ケーシングと、調理室を開閉するドアと、部品室の前方に設けられた操作パネルとを含む。そして、ほとんどの電子レンジは、調理室内の飲食物の臭いなどが含まれた空気を排出したり、電子レンジが配置された室内空気を吸入して排出したりする送風手段を含んでいる。
【０００３】
このような従来の電子レンジでは、下記特許文献１に開示された壁掛け型電子レンジに開示されているように、大容量の排気ファン及びファンモータを有する排気ファン組立体を装着して送風能力を向上することができ、排気ファン組立体を回転調整して排出孔が多様な方向に向かうように設置することができるので、電子レンジの本体の外側に設けられた外部ダクトの形状に応じて排出方向を容易に変更することができる。
【０００４】
このような従来の電子レンジでは、使用者が外部ダクトの形状に対応して排気ファン組立体を回転調整して設置することができる。しかし、排気ファン組立体が外部ダクトに対応せずに誤って設置される場合にこれを防止できる別途の手段が備えられていない。
【０００５】
そして、このような従来の電子レンジに設けられた排気ファン組立体は室内空気を排出する用途にのみ使用されているが、このような排気ファン組立体が調理室内の空気を排出しつつ部品室に空気を送風して部品室内の部品を冷却させることができればさらに効果的である。
【特許文献１】大韓民国特許公開番号第１０−２００４−００４７０７７号明細書
【発明の開示】
【発明が解決しようとする課題】
【０００６】
したがって、本発明の目的は、ファン組立体が誤った位置に設置されることを防止することができ、且つ、ファン組立体で部品室の冷却及び調理室内の空気の排出を同時にすることができる電子レンジを提供することにある。
【課題を解決するための手段】
【０００７】
前記目的は、本発明によれば、電子レンジにおいて、部品室及び調理室を形成し、前記部品室と貫通した部品室貫通部、前記調理室と貫通した調理室貫通部、並びに前記調理室貫通部を通じて前記調理室内の空気を排出するように設けられた排出部を有する本体ケーシングと、前記本体ケーシングに装着されて前記部品室を冷却するように前記部品室貫通部に空気を送風する送風ファン、前記調理室貫通部を通じて前記調理室内の空気を前記排出部に送風する排気ファン、並びに前記送風ファン及び前記排気ファンの間に設けられて前記送風ファン及び前記排気ファンを駆動するファンモータを有するファン組立体と、前記送風ファン又は前記排気ファンのうちの少なくとも一つが前記部品室貫通部又は前記排出部に対応する正しい位置に配置されていない時に前記ファン組立体と干渉するように前記本体ケーシングに設けられた干渉部と、を含むことを特徴とする電子レンジによって達成される。
【０００８】
ここで、前記干渉部は前記ファン組立体に近接した前記本体ケーシングから突出して形成することができる。
【０００９】
前記干渉部の端部には前記ファン組立体の装着方向に対して垂直方向に突出したノッチング部を設けることができる。
【００１０】
前記送風ファンは、前記ファンモータによって回転する送風ブレードと、前記送風ブレードの外側に設けられ前記送風ブレードによって送風された空気が前記部品室貫通部に向かうように設けられた送風部を有する送風ファンカバーとを含み、前記送風ファンカバーは前記送風部が前記部品室貫通部に対して正しい位置に配置されていない時に前記干渉部と干渉することができる。
【００１１】
前記排気ファンは、前記ファンモータによって回転する排気ブレードと、前記排気ブレードの外側に設けられ前記調理室貫通部から排出された空気が前記排出部に向かうように設けられた排気部を有する排気ファンカバーとを含むことができる。
【００１２】
前記排出部は前記本体ケーシングに複数設けられ、前記排気ファンカバーは前記排気部が前記複数の排出部のうちのいずれか一つに向かうように前記ファンモータに対して着脱可能及び回転可能に結合することができる。
【００１３】
前記部品室貫通部及び前記調理室貫通部は各々前記部品室及び前記調理室の上側に設けられ、前記調理室貫通部から排出された空気が前記調理室貫通部に送風されることを防止するように前記部品室貫通部及び前記調理室貫通部の間に設けられた隔壁をさらに含むことができる。
【００１４】
前記部品室に送風された空気が前記調理室に供給されるように前記調理室と前記部品室との間の前記本体ケーシングには貫通孔を設けることができる。
【発明の効果】
【００１５】
本発明によれば、ファン組立体が誤った位置に設置されることを防止することができ、さらに、ファン組立体で部品室の冷却及び調理室内の空気の排出を同時にすることができる。
【００１６】
また、干渉部にノッチング部をさらに設けることによってファン組立体が誤った位置に強制的に設置されることを防止することができる。
【発明を実施するための最良の形態】
【００１７】
以下、図面を参照して本発明を詳細に説明する。
【００１８】
図１乃至図４に示されているように、本発明による電子レンジ１は飲食物などを調理する調理室１５及び調理室１５に電磁波を照射することができるように各種部品が配置された部品室１３を形成する本体ケーシング１０と、調理室１５を開閉するように本体ケーシング１０に回動可能に結合されたドア３と、部品室１３の前方に設けられて各種部品を制御する操作パネル５と、本体ケーシング１０に装着され部品室１３を冷却しつつ調理室１５内の空気を排出するファン組立体５０と、を含む。
【００１９】
本体ケーシング１０は部品室１３と貫通した部品室貫通部２１と、調理室１５と貫通した調理室貫通部２３と、調理室貫通部２３を通じて調理室１５内の空気を排出するように設けられた排出部３１とを含む。本体ケーシング１０は調理室１５及び部品室１３を形成し部品室貫通部２１及び調理室貫通部２３が設けられた本体フレーム１１と、本体フレーム１１の左右側及び上側をカバーする本体カバー３５をさらに含む。本体ケーシング１０にはファン組立体５０が正しい位置に位置しない時にファン組立体５０と干渉するように干渉部４１が設けられる。
【００２０】
本体フレーム１１は熱に強い金属材質で設けることができるが、熱に強いプラスチックなどの材質で設けることもできる。調理室１５と部品室１３との間に設けられた本体フレーム１１には部品室１３に送風された空気が調理室１５に供給されるように貫通孔１９が設けられる。
【００２１】
調理室１５は飲食物などを収容できるように所定の空間を形成し、その上側には飲食物等から排出された臭いなどを含む空気を排出するように調理室貫通部２３が設けられる。
【００２２】
部品室１３は調理室１５に電磁波を照射するマグネトロン１７及び高圧トランス１８のような部品を配置するように所定の収容空間を形成する。部品室１３に配置されたマグネトロン１７及び高圧トランス１８のような部品は作動時に高温の熱を発生するため、これを冷却させるために部品室１３の上側には外部空気を吸入することができるように部品室貫通部２１が設けられる。
【００２３】
部品室貫通部２１及び調理室貫通部２３は本体フレーム１１の上側に貫通させて形成することができる。部品室貫通部２１及び調理室貫通部２３の間には調理室貫通部２３から排出された空気が部品室貫通部２１に送風されることを防止するように隔壁２７が設けられる。
【００２４】
隔壁２７は本体フレーム１１及び本体カバー３５の間に挿入されて設けられる。隔壁２７は調理室貫通部２３から排出された空気が後述のファン組立体５０の排気ファン６１によって排出部３１に排出されるように案内する。隔壁２７は本体フレーム１１及び本体カバー３５の間に前後方向に長く設置され、互いに離間するように一対設けられる。一対の隔壁２７の間には調理室１５を照らすためのランプ（図示せず）が設置され、ランプに対応した本体フレーム１１の上側にはランプで発生した光が調理室１５を照らすように光通過孔（図示せず）が設けられる。隔壁２７の前方には電子レンジ１が設置された室内の空気を吸入するように吸入口が形成されたグリル２６が設置される。これによって、後述のファン組立体５０の排気ファン６１は、隔壁２７によって案内された調理室貫通部２３からの調理室１５内の空気及びグリル２６からの室内空気を同時に排出する。
【００２５】
排出部３１は、調理室貫通部２３及びグリル２６を通じて本体ケーシング１０内に送られた調理室１５内の空気及び室内空気を排出するように、本体ケーシング１０に貫通して設けられる。排出部３１は調理室１５内の空気及び室内空気を室外に排出するように室外に延長形成された外部ダクト（図示せず）と連結される。排出部３１は電子レンジ１が設置される建物の外部ダクトの形態に対応するために複数個設けることができる。つまり、建物の外部ダクトが電子レンジ１の上側に位置することもでき、電子レンジ１の後方に位置することもできる。従って、本発明では一例として外部ダクトが電子レンジ１の上側あるいは電子レンジ１の後方に位置することを考慮して、排出部３１を本体ケーシング１０の後方及び上側に設けた。つまり、排出部３１は本体フレーム１１の上側後方に設けられた第２排出部３６と、本体カバー３５の後方に備えられた第１排出部３３を含む。しかし、このような排出部３１は本体ケーシング１０の左右側、前方及び下側のうちの少なくとも一箇所にさらに設けることもできる。これによって、使用者は複数の排出部３１のうちのいずれか一つを建物の外部ダクトと連結することができる。
【００２６】
本体カバー３５は本体フレーム１１の外側に逆Ｕ字状に設けられる。本体カバー３５は本体フレーム１１とスクリューなどによって結合され、上側には第２排出部３６が形成される。
【００２７】
ファン組立体５０は、部品室１３を冷却するように部品室貫通部２１に空気を送風する送風ファン５１と、調理室貫通部２３を通じて調理室１５内の空気を排出部３１に送風する排気ファン６１と、送風ファン５１及び排気ファン６１の間に設けられ送風ファン５１及び排気ファン６１を駆動するファンモータ７１とを含む（図２及び図３参照）。ファン組立体５０は本体ケーシング１０の上側後方に部品室貫通部２１及び排出部３１に対応して設けられる。ファン組立体５０は本体フレーム１１と本体カバー３５との間及び隔壁２７の後方領域に設けられる。ファン組立体５０は送風ファン５１及び排気ファン６１のうちの少なくとも一つが部品室貫通部２１及び排出部３１に対応する正しい位置に配置されない時に干渉部４１によって干渉されて本体ケーシング１０に設置されないようになっている。
【００２８】
送風ファン５１はファンモータ７１によって回転する送風ブレード５３と、送風ブレード５３の外側に設けられ送風ブレード５３によって送風された空気を部品室貫通部２１に向かうように設けられた送風ファンカバー５５とを含む。送風ファン５１はファンモータ７１の一の側に部品室貫通部２１に対応して設けられる。
【００２９】
送風ブレード５３はファンモータ７１によって回転するように複数個設けられ、ファンモータ７１の回転軸線を中心にして円筒形状に配置される。
【００３０】
送風ファンカバー５５は、円筒形状に設けられて送風ブレード５３を収容する送風カバー本体５６と、送風ブレード５３の回転によって発生した送風を集めて排出するように円筒面上に貫通された送風部５７と、ファンモータ７１と結合される反対方向に周囲空気を吸入するために貫通された送風カバー貫通部５８とを含む。送風ファンカバー５５は送風部５７が部品室貫通部２１に対して正しい位置に配置されない時に干渉部４１と干渉することができる。送風ファンカバー５５は後述のファンモータ支持台７３に対して一体に設けることができる。しかし、送風ファンカバー５５は後述のファンモータ支持台７３に対して着脱可能にスクリューなどで結合することもできる。
【００３１】
送風カバー本体５６は送風ブレード５３の回転により発生した送風を送風部５７に集めるために送風ブレード５３の回転方向に直径が次第に増加するように設けられる。これによって、送風カバー本体５６は送風部５７が部品室貫通部２１を向かうように設置された場合のみに干渉部４１との干渉を避けることができ、送風部５７が部品室貫通部２１を向かわずに設置しようとする場合には干渉部４１に干渉され設置されないようになる。
【００３２】
送風部５７は部品室貫通部２１に対応して送風カバー本体５６から突出して形成される。
【００３３】
排気ファン６１は、ファンモータ７１によって回転する排気ブレード６３と、排気ブレード６３の外側に設けられ排気ブレード６３によって送風された空気を排出部３１に向かうように設けられた排気ファンカバー６５とを含む。排気ファン６１はファンモータ７１の他の側に第１又は第２排出部３３、３６のうちの一つに対応して設けられる。
【００３４】
排気ブレード６３はファンモータ７１によって回転するように複数個設けられ、ファンモータ７１の回転軸線を中心にして円筒形状に配置される。
【００３５】
排気ファンカバー６５は、円筒形状に設けられて排気ブレード６３を収容する排気カバー本体６６と、排気ブレード６３の回転によって発生した送風を集めて排出するように円筒面上に貫通した排気部６７と、ファンモータ７１と結合する反対方向に調理室貫通部２３及びグリル２６から空気を吸入するために貫通した排気カバー貫通部６８とを含む。排気ファンカバー６５は排気部６７が複数の排出部３１のうちのいずれか一つに向かうようにファンモータ７１に対して着脱可能及び回転可能に結合される。排気ファンカバー６５は後述のファンモータ支持台７３に対して着脱可能にスクリュー６９などで結合され、ファンモータ７１に対して離脱した状態で第１又は第２排出部３３、３６のうちのいずれか一つに対向するように回転調整されてスクリュー６９で再び結合することができる。従って、使用者は排気部６７が外部ダクトに対応する排出部３１の方向に対向するように排気ファンカバー６５を回動させて容易に組立てることができる。
【００３６】
排気カバー本体６６は、前述の送風カバー本体５６と同様に、排気ブレード６３の回転によって発生した送風を排気部６７に集めるために排気ブレード６３の回転方向に直径が次第に増加するように設けられる。排気部６７は排出部３１に対応して排気カバー本体６６から突出して形成される。
【００３７】
ファンモータ７１は送風ファン５１と排気ファン６１との間に設けられて送風ブレード５３及び排気ブレード６３を回転させる。ファンモータ７１は両側に設けられたファンモータ支持台７３によって支持されて送風ファン５１及び排気ファン６１と結合される。
【００３８】
干渉部４１は、ファン組立体５０の送風ファン５１又は排気ファン６１のうちの少なくとも一つが部品室貫通部２１又は排出部３１に対応する正しい位置に配置されない時にファン組立体５０と干渉するように本体ケーシング１０に設けられる。干渉部４１はファン組立体５０に近接した本体ケーシング１０から突出して形成することができる。干渉部４１は、送風ファン５１の送風部５７が部品室貫通部２１に対向して配置されるように設置される場合には送風ファンカバー５５と干渉せず、送風部５７が部品室貫通部２１に対向しないように設置される場合には送風ファンカバー５５と干渉する。干渉部４１は、ファン組立体５０の後方に位置した本体フレーム１１で前方に突出するように装着することができる。また、干渉部４１はファン組立体５０の後方に位置した本体フレーム１１で前方に折り曲げられて形成することができる。特に、干渉部４１をファン組立体５０の送風ファン５１後方に位置した本体フレーム１１で前方に突出して形成することができる。
【００３９】
干渉部４１の端部には、ファン組立体５０の装着方向に対して垂直方向に突出したノッチング部４３（図１参照）を設けることができる。
【００４０】
ノッチング部４３はファン組立体５０が正しい位置に配置されておらず干渉部４１と多少干渉しても使用者によって強制的にファン組立体５０が本体ケーシング１０に組立てられることを防止するように、ファン組立体５０の結合方向に対して干渉部４１の前方端部で横方向にほぼ直角を成すように突出して形成される。
【００４１】
このような構成によって、本発明による電子レンジのファン組立体が本体ケーシングに組立てられる過程を説明すると次の通りである。
【００４２】
まず、外部ダクトに対応する排出部３１を選択する。そして、選択された排出部３１に対応してファン組立体５０の排気ファンカバー６５を回動させて組立てる。その後、本体フレーム１１の上側に部品室貫通部２１及び選択された排出部３１に対応してファン組立体５０を装着する。この時、ファン組立体５０が部品室貫通部２１及び選択された排出部３１に対応する正しい位置に配置されると、ファン組立体５０は干渉部４１と干渉せず本体ケーシング１０への装着が可能になる。しかし、ファン組立体５０が部品室貫通部２１及び選択された排出部３１に対応する正しい位置に配置されないと、ファン組立体５０は干渉部４１と干渉し装着されない。そして、ファン組立体５０は本体ケーシング１０とスクリューなどによって結合することができる。
【００４３】
図５に示されているように、本発明による電子レンジ１の概略的な空気循環過程を説明する。
【００４４】
まず、ファン組立体５０が作動すると、送風ファン５１によって部品室貫通部２１を通じて部品室１３に空気が送風される。従って、送風された空気によって部品室１３を冷却させることができ、部品室１３を冷却した空気は貫通孔１９を通じて調理室１５に供給される。そして、調理室１５内の空気は排気ファン６１によって調理室貫通部２３を通じて排出部３１に排出される。そして、排気ファン６１によってグリル２６を通じて室内空気を同時に取り込むことができる。
【００４５】
従って、本発明による電子レンジは干渉部を設けることによってファン組立体が誤った位置に設置されることを防止することができる。また、ノッチング部をさらに設けることによってファン組立体が誤った位置に強制的に設置されることを防止することができる。そして、ファン組立体によって同時に部品室の冷却及び調理室内の空気の排出を同時にすることができ、グリルを通じて室内空気を同時に取り込むこともできる。
【図面の簡単な説明】
【００４６】
【図１】本発明による電子レンジの分解斜視図である。
【図２】本発明による電子レンジのファン組立体の分解斜視図である。
【図３】図２の電子レンジのファン組立体に設けられた排気ファンカバーが回動した状態を示す斜視図である。
【図４】本発明による電子レンジに図３のファン組立体が装着された斜視図である。
【図５】本発明による電子レンジの概略的な空気循環過程を示した斜視図である。
【符号の説明】
【００４７】
１  電子レンジ
３  ドア
５  操作パネル
１０  本体ケーシング
１１  本体フレーム
１３  部品室
１５  調理室
１７  マグネトロン
１８  高圧トランス
１９  貫通孔
２１  部品室貫通部
２３  調理室貫通部
２６  グリル
２７  隔壁
３１  排出部
３５  本体カバー
４１  干渉部
５０  ファン組立体
５１  送風ファン
５３  送風ブレード
５５  送風ファンカバー
５６  送風カバー本体
５７  送風部
５８  送風カバー貫通部
６１  排気ファン
６３  排気ブレード
６５  排気ファンカバー
６６  排気カバー本体
６７  排気部
６８  排気カバー貫通部
６９  スクリュー
７１  ファンモータ
７３  ファンモータ支持台
【図１】
2006046901.tif 000003
【図２】
2006046901.tif 000004
【図３】
2006046901.tif 000005
【図４】
2006046901.tif 000006
【図５】
2006046901.tif 000007